【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  ポリマーマトリクスおよび該マトリクス内に固定された粒子材料を有する、可撓性膜を作製するための方法であって、該方法が、以下：
第一の実質的に平坦な表面および第二の実質的に平坦な表面を有する、支持体を提供する工程；
少なくとも１つのポリマーと選択された量の粒子材料とを組み合わせて、ブレンドを形成する工程；
実質的に均一な厚みの該ブレンドを、該表面の各々に塗布する工程；および
該ブレンドが塗布された該支持体を、およそ１〜４フィート／分の速度で少なくとも１つの処理浴へ進行させる工程；
を包含する、方法。
【請求項２】  前記ポリマーが、ポリウレタン、ポリビニリデンフルオリド、酢酸セルロースおよびポリビニルクロリドからなる群から選択される、請求項１に記載の方法。
【請求項３】  前記ポリマーが疎水性である、請求項１に記載の方法。
【請求項４】  前記粒子材料を、前記膜内で選択的に分散させる工程を包含する、請求項１に記載の方法。
【請求項５】  前記膜が、前記ポリマーを５％と３０％との間で、そして粒子を７０〜９５％含む、請求項１に記載の方法。
【請求項６】  前記膜が、前記粒子材料を少なくとも５０重量％含む、請求項１に記載の方法。
【請求項７】  前記ポリマーを前記粒子材料と組み合わせる工程の前に、該ポリマーを有機溶媒に溶解してポリマー溶液を提供する工程を包含する、請求項１に記載の方法。
【請求項８】前記塗布する工程の後で、前記ブレンドが塗布された前記支持体を、前記ポリマーの非溶媒である液体の浴に、選択された時間にわたって浸漬することによって、該支持体を該液体と接触させる工程をさらに包含する、請求項１に記載の方法。
【請求項９】  前記ブレンドが塗布された前記支持体が、交互に、１つ以上の水浴に浸漬およびそこから除去される、請求項８に記載の方法。    
【請求項１０】  前記膜を乾燥させる工程をさらに包含する、請求項９に記載の方法。
【請求項１１】  前記膜を所望の大きさに切断する工程、および該膜の少なくとも１つの縁部をシールする工程をさらに包含する、請求項１０に記載の方法。
【請求項１２】  前記ブレンドが、移動する前記支持体のシートに連続的に塗布される、請求項１に記載の方法。
【請求項１３】  前記膜を、少なくとも１０分間、５０℃で乾燥させる工程を包含する、請求項１０に記載の方法。
【請求項１４】  前記膜を、湿潤剤または親水化被覆剤によって処理する工程をさらに包含する、請求項１、３または１３に記載の方法。
【請求項１５】  前記試剤が、０．２０％と１％との間のポリビニルアルコールを含有する、請求項１４に記載の方法。
【請求項１６】  前記試剤がグリセロールを含有する、請求項１４に記載の方法。
【請求項１７】  前記試剤が塩化ナトリウムを含有する、請求項１４に記載の方法。
【請求項１８】  前記試剤が０．９％の塩化ナトリウムを含有する、請求項１７に記載の方法。
【請求項１９】  前記膜を、前記処理の後に乾燥させる工程をさらに包含する、請求項１４に記載の方法。
【請求項２０】  前記ブレンドを前記支持体に塗布する工程において、該支持体を、該ブレンドを含むハウジングに導入する工程をさらに包含する、請求項１に記載の方法。
【請求項２１】  前記粒子材料の、約２０μｍより大きな直径を有する粒子を実質的に排除する工程を包含する、請求項２０に記載の方法。
【請求項２２】  前記膜をひだ付きシートに形を合わせる工程をさらに包含する、請求項１に記載の方法。
【請求項２３】  前記膜を波型シートに形を合わせる工程をさらに包含する、請求項１に記載の方法。
【請求項２４】  前記ポリマーが、ａ）少なくとも２種のポリマー、またはｂ）少なくとも２種のコポリマー、あるいはｃ）少なくとも１種のポリマーおよびコポリマー、のいずれかを含有する、請求項１に記載の方法。
【請求項２５】  可撓性の複合シート膜であって、以下：
ポリマー支持体であって、該支持体が第１の面および第２の面を有し、ここで、該第１の面および該第２の面の各々が、繊維化されていないポリマー材料の被覆を含む、ポリマー支持体、
を含み、
該材料は、ポリマーとブレンドした粒子を含み、該粒子が該ポリマーによって実質的に物理的に固定されており、
該面の各々は、実質的に同じ厚さの該材料の被覆を有し、そしてここで、該膜の外面が、多孔性かつ選択的に透過性のスキンを有し、そしてここで、該外面に配置される該粒子が、該膜のさらに内側に配置されるより少ない
可撓性の複合シート膜。
【請求項２６】  前記粒子の大部分が、約２０μｍ未満の直径を有する、請求項２５に記載の膜。
【請求項２７】  前記膜が、形を合わされたシートを含む、請求項２５に記載の膜。
【請求項２８】  前記膜が、ひだ付きシートを含む、請求項２７に記載の膜。
【請求項２９】  前記膜が、波型シートを含む、請求項２７に記載の膜。
【請求項３０】  親水化剤の被膜をさらに含む、請求項２５に記載の膜。
【請求項３１】  前記ポリマーが、ポリウレタン、ポリビニリデンフルオリド、酢酸セルロース、ポリビニルクロリドおよびエチレンビニルアルコールコポリマーからなる群から選択される、請求項２５に記載の膜。
【請求項３２】  前記ポリマー材料を約５％と３０％との間で含む、請求項２５に記載の膜。
【請求項３３】  前記粒子材料を約７０重量％含む、請求項２５に記載の膜。
【請求項３４】  前記支持体がポリエステルメッシュ材料を含む、請求項２５に記載の膜。
【請求項３５】  可撓性の複合シート膜であって、以下：
ポリマー支持体であって、該支持体が第１の面および第２の面を含み、
該第１の面または該第２の面のうちの少なくとも１つの面が、ポリマーでブレンドした粒子の第１の被膜を含み、該粒子が該ポリマーによって実質的に物理的に固定されていて、ここで、該膜の内側に配置されるより少ない該粒子が、スキンに近接して配置される、ポリマー支持体、ならびに
親水化剤の第２の被膜
を含む、可変性の複合シート膜。
【請求項３６】  前記粒子の大部分が、約２０μｍ未満の直径を有する、請求項３５に記載の膜。
【請求項３７】  前記膜が、形を合わされたシートを含む、請求項３５に記載の膜。
【請求項３８】  前記膜が、ひだ付きシートを含む、請求項３７に記載の膜。
【請求項３９】  前記膜が、波型シートを含む、請求項３７に記載の膜。
【請求項４０】  前記ポリマーが、ポリウレタン、ポリビニリデンフルオリド、酢酸セルロース、ポリビニルクロリドおよびエチレンビニルアルコールコポリマーからなる群から選択される、請求項３５に記載の膜。
【請求項４１】  前記ポリマー材料を約５％と３０％との間で含む、請求項３５に記載の膜。
【請求項４２】  前記粒子材料を約７０重量％含む、請求項３５に記載の膜。
【請求項４３】  前記支持体がポリエステルメッシュ材料を含む、請求項３５に記載の膜。
【請求項４４】  可撓性の複合膜であって、以下：
ポリマー支持体であって、該支持体が第１の面および第２の面を含む、ポリマー支持体、
を含み、
該第１の面または該第２の面のうちの少なくとも１つの面が、ポリマーとブレンドした粒子の第１の被膜を含み、
該粒子が、該ポリマーによって実質的に物理的に固定されていて、ここで、該膜の内側に配置されるより少ない該粒子が、スキンに近接して配置される、
可撓性の複合シート膜。
【請求項４５】  前記ポリマーが、ポリウレタン、ポリビニリデンフルオリド、酢酸セルロース、ポリビニルクロリドおよびエチレンビニルアルコールコポリマーからなる群から選択される、請求項４４に記載の膜。
【請求項４６】  前記ポリマー材料を約５％と３０％との間で含む、請求項４４に記載の膜。
【請求項４７】  前記粒子を約７０重量％含む、請求項４４に記載の膜。